(57)【要約】      （修正有）【課題】商品を載せる棚板をボール回転支持部材で平面的に自由移動できるように支持し、地震による商品の落下や陳列棚の損壊の発生を防ぐことができる免震商品陳列棚を提供する。【解決手段】両側に対向する支柱２間の前後にビーム３を架設し、この前後ビーム３間に複数本のサブビーム４を架設し、このサブビーム４の上面に、硬質ボールを固定用保持部材で回転自在に支持した複数のボール回転支持部材１５を取付け、前記ボール回転支持部材１５のボールで棚板５を平面的に移動自在に支持し、地震発生時の陳列棚の揺れをボールで逃がして棚板５に伝わらないようにすることで、商品が地震発生時に落下したり倒れるのを防ぐ。【選択図】図１
0003144907.tif 000002
【実用新案登録請求の範囲】
【請求項１】
両側に対向する支柱間の前後にビームを架設し、この前後ビーム間に複数本のサブビームを架設し、このサブビームの上面に、硬質ボールを固定用保持部材で全方向に回転自在に支持した複数のボール回転支持部材を取付け、前記ボール回転支持部材のボールで棚板を平面的に移動自在となるよう支持した免震商品陳列棚。
【請求項２】
上記サブビームは、両端部にビームへ係止する取付け部を備え、このサブビームの両端部上面に棚板の前後への落下を防ぐ緩衝体が設けられている請求項１に記載の免震商品陳列棚。
【考案の詳細な説明】
【技術分野】
【０００１】
この考案は、ホームセンターや大型量販店等において、各種商品を販売するために陳列する免震商品陳列棚に関する。
【背景技術】
【０００２】
ホームセンターや大型量販店等において、各種商品を陳列して販売するために用いられている従来の商品陳列棚は、型材を用いた一対の縦柱を横桟や斜材で結合して支柱を形成し、両側に所定の間隔で対向起立させた支柱を、両側に対応する縦柱間に架設した前後のビームで支柱が自立するよう結合し、更に、前後のビーム間に複数本のサブビームを架設し、この前後ビーム間でサブビームの上面に棚板を載置して棚とし、このような棚を上下に必要数段設けた構造になっており、ボルトやナット等の締結具を用いることなく組立ができ、販売せんとする商品は、前記棚板上に載置して陳列することになる（例えば、特許文献１参照）。
【特許文献１】特開平０７−８３３６号公報
【考案の開示】
【考案が解決しようとする課題】
【０００３】
ところで、上記のような従来の商品陳列棚は、棚板が前後ビーム間のサブビームの上面に直接支持された構造になっているため、この商品陳列棚を用いた商品の販売状態において、地震が発生した場合、地震の揺れが商品陳列棚を介して商品に直接伝わり、棚板に載せてある商品が落下したり倒れることになり、このため、商品が破損すると共に落下した商品が周辺にいる人に怪我を生じさせるという危険がある。
【０００４】
また、商品が重量物の場合、商品の揺れによる過大な水平力が陳列棚にかかることになり、過大な水平力で支柱が損壊したり、支柱とビームの結合部分が破損し、商品陳列棚が倒壊することも考えられる。
【０００５】
そこで、この考案の課題は、商品を載せる棚板を回転自在のボールで平面的に自由移動できるように支持し、地震発生時の揺れが棚板と商品に伝わらないようにすることで、地震による商品の落下や陳列棚の損壊の発生を防ぐことができる免震商品陳列棚を提供することにある。
【課題を解決するための手段】
【０００６】
上記の課題を解決するため、この考案は、両側に対向する支柱間の前後にビームを架設し、この前後ビーム間に複数本のサブビームを架設し、このサブビームの上面に、硬質ボールを固定用保持部材で全方向に回転自在に支持した複数のボール回転支持部材を取付け、前記ボール回転支持部材のボールで棚板を平面的に移動自在となるよう支持した構成を採用したものである。
【０００７】
上記サブビームは、両端部にビームへ係止する取付け部を備え、このサブビームの両端部上面に棚板の落下を防ぐ緩衝体が設けられている構造とすることができる。
【０００８】
ここで、上記支柱は、型材を用いた前後一対の縦柱を横桟や斜材で結合して形成し、この支柱を、両側に所定の間隔で対向起立させ、両側の対応する縦柱間に架設した前後のビームで支柱が自立するよう結合し、更に、前後のビーム間に複数本のサブビームを取付け部で架設して免震商品陳列棚の骨格を組立て、前記したサブビームの上面に設けたボール回転支持部材のボール上に棚板を載置し、回転自在となるボールでの支持によって棚板の平面的な移動を自由とする。
【０００９】
上記ボール回転支持部材は、ベースプレートに設けたハウジングの凹部内に、鋼球等のボールを、ハウジングの上端から一部が突出する状態で回転自在に組み込んだベアリング又はこれと同等の等価物を用い、これをサブビームの上面に複数を固定し、このような各ボール回転支持部材の全方向に回転可能となるボールで棚板を支持すれば、地震発生時に陳列棚が振動しても棚板への振動の伝達を防ぐことができ、棚板とこれに載置した商品が揺れないようにすることができる。
【００１０】
上記縦柱には多数の係止孔を上下に一定間隔の配置で設け、ビームの端部に、縦柱の外面に外接する平面Ｌ字形のブラケットを固定し、このブラケットに設けた係止片を縦柱の係止孔に係合させることによって、縦柱とビームを結合するようになっている。
【００１１】
また、ビームに対するサブビームの結合は、ビームに一対となる係止溝を長さ方向に一定間隔で設け、下向きのコ字杆を用いたサブビームの両端部に取付け部を設け、この取付け部の二又部をビームの係止溝に係合させて下縁の切欠きを係止することにより行なっている。
【００１２】
上記ビームに対するサブビームの他の結合手段としては、取付け部を、サブビームの両端部にビームへ上から嵌込む鉤型のフックを固定した構造でもよい。
【００１３】
上記棚板は合板を用いて形成され、その下面に、前後ビーム間に少し余裕を持って納まる大きさの金属製ベース板を重ねることで、ボールとの接触部分が破損することのないようにしている。
【００１４】
この金属製ベース板の下面で前後縁には、下向きに突出するストッパーが固定され、サブビームの両端部に設けた緩衝体とこのストッパーで、ボール上に支持された棚板が脱落することのないようにしている。
【考案の効果】
【００１５】
この考案によると、サブビームの上面に設けたボール回転支持部材の全方向に回転可能となるボールで、商品を載せる棚板を平面的に自由移動できるように支持したので、地震発生時の陳列棚の揺れを逃がして商品に伝わらないようにし、棚板に載せてある商品が地震発生時に落下したり倒れるのを防ぐことができ、商品を破損しないように守り、周辺にいる人の安全を確保することができる。
【００１６】
また、商品が重量物の場合でも、商品が揺れないので陳列棚に大きな水平力をかけることがなく、地震の振動による支柱の損壊や支柱とビームの結合部分の破損発生を防ぐことができる。
【００１７】
更に、上面にボール回転支持部材を設けたサブビームに、既存の陳列棚におけるサブビームとの互換性を持たせることにより、サブビームを取り換えるだけで既存の商品陳列棚を免震商品陳列棚にすることができる。
【考案を実施するための最良の形態】
【００１８】
以下、この考案の実施の形態を図示例に基づいて説明する。
【００１９】
図１と２のように、免震商品陳列棚１は、両側に対向する支柱２と、両側の支柱２、２間の前後に架設する水平のビーム３と、この前後ビーム３間に水平状態に架設される複数本のサブビーム４で陳列棚の骨組みが組立てられ、前後ビーム３間でサブビーム４の上面に棚板５が載置され、前後ビーム３とサブビーム４及び棚板５によって形成される棚６が、陳列する商品の条件に合わせて上下に必要段数だけ設けられる。
【００２０】
上記支柱２は、型材を用いた一対の縦柱７を横桟８や斜材９で結合して形成され、図３のように、縦柱７には、前後方向に向く面に、上下に長く下部窄まりの形状となる多数の係止孔１０と位置決め孔１０ａが上下に一定間隔の配置で設けられている。
【００２１】
図３と図４のように、上記ビーム３は、所定の長さを有する角パイプ３ａを用い、その両端部に、縦柱７の外面に外接する平面Ｌ字形のブラケット１１を固定し、このブラケット１１の内面側に設けた上下の係止片１２を縦柱７の係止孔１０に上から嵌め込んで係合させ、中央の位置決め突起１２ａを位置決め孔１０ａに嵌めることによって縦柱７とビーム３を結合し、支柱２を自立させるようになっている。
【００２２】
このビーム３の角パイプ３ａには、前後に配置した状態で、互いに対向する面の上部コーナ位置に、一対の係止溝１３が長さ方向に一定間隔の配置で形成されている。
【００２３】
上記サブビーム４は、前後ビーム３間に納まる長さを有する下向きのコ字杆４ａを用い、その両端部にビーム３への取付け部１４が設けられ、このコ字杆４ａの上面に複数のボール回転支持部材１５が取付けられている。
【００２４】
上記取付け部１４は、図５（ａ）と図６のように、上部がコ字杆４ａの上面よりも上方に突出すると同時に長さ方向へも延長状に突出する二又板１４ａをコ字杆４ａの両側に一体的に設けて形成され、この二又板１４ａをビーム３の一対となる係止溝１３に係合させ、その下縁の切欠き１４ｂを係止溝１３の下端部に係止することにより、前後ビーム３間に架設するようになっており、架設する係止溝１３を選ぶことにより、支持せんとする商品の重量に合わせて前後ビーム３間への架設本数を選択することができる。
【００２５】
なお、サブビーム４の端部に設ける取付け部１４は、図５（ｂ）に示す他の例のように、ビーム３へ上から嵌込む鉤型のフックを溶接固定した構造でもよく、このような取付け部１４であると、ビーム３に係止溝１３がなくても前後ビーム３間にサブビーム４を架設することができ、係止溝１３が形成されていないビームを用いた既存の陳列棚に対する取換え部品として単独で提供することができる。
【００２６】
このサブビーム４のコ字杆４ａの上面に設けたボール回転支持部材１５は、図５のように、ベースプレートに設けたハウジング１５ａの凹部内に、鋼球等のボール１５ｂを、ハウジング１５ａの上端から一部が突出する状態で回転自在に組み込んだベアリング又はこれと同等の等価物を用い、ボール１５ｂが上向きになるようサブビーム４の上面に複数を並べて固定する。
【００２７】
上記前後ビーム３間に架設したサブビーム４群の上面に、ボール回転支持部材１５のボール１５ｂで支持することによって棚板５を載置し、ボール１５ｂによって棚板５の平面的な移動を自由とする。
【００２８】
図１と図６のように、棚板５は前後ビーム３間に納まる前後幅の矩形状合板を用いて形成され、その下面に、前後ビーム間に少し余裕を持って納まる大きさの金属製ベース板１６を重ねることで、ボール１５ｂとの接触部分が破損することのないようにしている。
【００２９】
図６の場合、ボール回転支持部材１５の上に載置した棚板は、その下面がビーム３及び取付け部１４の上面よりも高くなるよう支持され、この棚板５の下面に重なる金属製ベース板１６の下面で前後縁には、下向きに突出するストッパー１７が設けられ、サブビーム４の両端部で取付け部１４におけるサブビーム４の上面から上方に突出する部分の背面に、ゴム等の緩衝体１８が取付けられ、商品を出し入れするような場合に、棚板５が前後に大きく移動すると、ストッパー１７が緩衝体１８に当接することで、ボール１５ｂ上に支持された棚板５が前後に脱落することのないようにしている。
【００３０】
なお、棚板５の横方向の移動に対する脱落防止は、図２（ｂ）に示すように、金属製ベース板１６の下面に、棚板５が横方向に過剰に移動したとき両端がサブビーム４に対して当接するストッパー１９となる下向きコ字金具２０を、直下に位置する一本のサブビーム４を跨ぐように固定配置することによって得ることができ、両ストッパー１９の対向する内面にゴム等の緩衝体２１が取付けてある。
【００３１】
また、ボール回転支持部材１５の上に載置した棚板５を、その上面がビーム３及び取付け部１４の上面と略同一となるような支持高さにすると、棚板５が前後に大きく移動した場合、棚板５の前後縁が直接緩衝体１８に当接して前後への脱落の発生を防ぐことができ、金属製ベース板１６のストッパー１７を省略することができる。
【００３２】
この考案の免震商品陳列棚は、上記のような構成であり、両側に所定の距離を置いて対向配置した支柱２間の前後にビーム３を臨ませ、ビーム３の端部に設けたブラケット１１の係止片１２を縦柱７の係止孔１０に上から嵌め込んで係合させることにより、両側の前部縦柱７と後部縦柱７をそれぞれビーム３で結合し、両側の支柱２を自立させる。
【００３３】
次に、前後ビーム３間に所要数本のサブビーム４を所定の間隔で架設する。このサブビーム４は、端部に設けた取付け部１４を、前後のビーム３に設けた係止溝１３に係合させるか、ビーム３に上から被せて係止することによって架設し、このサブビーム４の架設により前後ビーム３が結合され、陳列棚の骨組みが組みあがり、各サブビーム４の上面に固定したボール回転支持部材１５が多数個平面的に配置されることになる。
【００３４】
この後、前後ビーム３間でサブビーム４群の上に棚板５を配置し、この棚板５の下面に重ねた金属製ベース板１６をボール１５ｂで支持することにより、棚板５を平面的に移動自在となるよう敷設し、これによって棚６を形成することで免震商品陳列棚１の組み立てを完了し、前記棚板５上に商品を載置して陳列する。
【００３５】
なお、上記棚６は、陳列せんとする商品の条件に合わせ、段数や上下の間隔を設定すればよく、また、前後のビーム３間に架設するサブビーム４は、陳列せんとする商品の重量に合わせて本数を設定すればよく、更に、免震商品陳列棚１は、一つの支柱２を隣の免震商品陳列棚と兼用することで、複数の免震商品陳列棚１を直列に並べて組立てることができる。
【００３６】
上記のように、商品を載置した棚６は、各ボール回転支持部材１５の全方向に回転可能となるボール１５ｂで棚板５を支持した構造になっているので、地震発生時に免震商品陳列棚１が横揺れによって振動した場合、各ボール回転支持部材１５が揺れ方向に移動するとボール１５ｂが回転し、棚板５を定位置に残したまま各ボール回転支持部材１５が移動することで棚板５への振動の伝達を防ぐことができ、従って、棚板５とこれに載置した商品が揺れないようにすることができ、地震によって棚板５に載せてある商品が地震発生時に落下したり倒れるのを防ぎ、商品を破損しないように守り、周辺にいる人の安全を確保することができる。
【００３７】
また、棚板５上の商品が重量物の場合でも、商品が揺れないので免震商品陳列棚１に大きな水平力をかけることがなく、地震の振動による支柱２の損壊や支柱２とビーム３の結合部分の破損発生を防ぐことができる。
【００３８】
上記サブビーム４の両端に、このサブビーム４の上面から上方に突出する部分の背面に緩衝体１８が取付けられ、棚板５の金属製ベース板１６における前縁と後縁にストッパー１７が設けてあるので、棚板５上の商品を出し入れするときに過剰に手前へ引いたり後ろに押した場合、ストッパー１７が緩衝体１８に当接することで棚板５の前後の過剰な移動を規制し、棚６から棚板５と商品が脱落するのを防止することができる。
【００３９】
また、棚板５の横方向の過剰な移動に付いても、コ字状金具２０のストッパー１９がサブビーム４に当接することによって防ぐことができる。
【図面の簡単な説明】
【００４０】
【図１】この考案に係る免震商品陳列棚の一部棚板を分解した斜視図
【図２】（ａ）この考案に係る免震商品陳列棚の拡大した縦断側面図、（ｂ）は（ａ）の矢印ｂ−ｂでの縦断側面図
【図３】この考案に係る免震商品陳列棚の支柱とビーム及びサブビームの関係を示す一部分解斜視図
【図４】この考案に係る免震商品陳列棚のビームとサブビームの関係を示す一部分解斜視図
【図５】（ａ）と（ｂ）は、サブビームにおける取り付け部の例を示す斜視図
【図６】この考案に係る免震商品陳列棚のビームに対するサブビームの結合部分を示す縦断側面図
【符号の説明】
【００４１】
１        免震商品陳列棚
２        支柱
３        ビーム
４        サブビーム
５        棚板
６        棚
７        縦柱
８        横桟
９        斜材
１０      係止孔
１１      ブラケット
１２      係止片
１３      係止溝
１４      取付け部
１５      ボール回転支持部材
１５ａ    ハウジング
１５ｂ    ボール
１６      金属製ベース板
１７      ストッパー
１８      緩衝体
１９      ストッパー
２０      コ字状金具
２１      緩衝体
【図１】
0003144907.tif 000003
【図２】
0003144907.tif 000004
【図３】
0003144907.tif 000005
【図４】
0003144907.tif 000006
【図５】
0003144907.tif 000007
【図６】
0003144907.tif 000008